(57)【要約】      （修正有）【課題】住宅やビル等に使用される加湿送風ユニットにおいて、加湿部のメンテナンス性向上を目的とする。【解決手段】送風ユニットと、加湿部１０を有する加湿ユニット１と、加湿ユニット１の天面を覆う天面パネル８と、天面パネル８は、第１部分２３と、第２部分２４とを含み、第１部分２３は、開口２８を有し、第２部分２４は、開口２８の一部を覆うように設けられるという構成にしたことにより、加湿部１０は第２部分２４を取り外した状態で開口２８から取り外すことが可能であるため、アダプタにダクトをつないだまま加湿部１０を取り外すことができる加湿送風ユニットを得られる。【選択図】図８
2019135420.tif 000002
【特許請求の範囲】
【請求項１】
送風機を有する送風ユニットと、
加湿部を有する加湿ユニットと、
前記加湿ユニットの天面を覆う天面パネルと、
外気口および給気口と連通する通風路と、
前記給気口を有する給気アダプタと、を備え、
前記送風機により前記外気口から吸い込まれた空気は、前記通風路に沿って流れ、前記加湿部を通過した後に前記給気口から吹き出され、
前記加湿部は、空気を吹き出す吹出口と、前記吹出口を有する吹出部とを含み、
前記給気アダプタは、前記吹出部と接続され、
前記天面パネルは、第１部分と、第２部分とを含み、
前記第１部分は、開口を有し、
前記第２部分は、前記開口の一部を覆うように設けられ、
前記第２部分を取り外した状態において、前記開口から前記加湿部を取り外すことが可能であることを特徴とする加湿送風ユニット。
【請求項２】
前記開口は、吹出部取付領域と、切り欠き領域と、移動領域と、を含み、
前記吹出部と前記給気アダプタとが接続されている状態において、前記吹出部は、前記吹出部取付領域に位置し、
前記吹出部と前記給気アダプタとが接続されていない状態において、前記吹出部は、前記切り欠き領域により斜め方向に前記吹出部取付領域から前記移動領域へ案内され、前記加湿部は、前記移動領域から取り外し可能であることを特徴とする請求項１に記載の加湿送風ユニット。
【請求項３】
前記第２部分は、前記移動領域および前記切り欠き領域を覆うように前記第１部分に接続されることを特徴とする請求項２に記載の加湿送風ユニット。
【請求項４】
前記天面パネルにおいて、前記第１部分の占める割合より前記第２部分の占める割合の方が小さく、
前記外気口は、前記第１部分に設けられ、前記第２部分には設けられないことを特徴とする請求項１〜３いずれか１項に記載の加湿送風ユニット。
【請求項５】
室内からの空気を吸い込む環気口と、前記環気口から吸い込まれた空気を屋外に排出する排気口と、を備え、
前記環気口および前記排気口は、前記第１部分に設けられ、前記第２部分には設けられないことを特徴とする請求項４に記載の加湿送風ユニット。
【請求項６】
前記第２部分は略Ｌ字形状であることを特徴とする請求項４または５に記載の加湿送風ユニット。
【請求項７】
前記加湿ユニットは、外郭としてのメンテナンスパネルと、前記通風路の一部を構成するチャンバーボックスと、を備え、
前記加湿部を取り外す場合、前記第２部分、前記メンテナンスパネル、前記チャンバーボックス、前記給気アダプタ、前記加湿部の順に取り外すことを特徴とする請求項１〜６いずれか１項に記載の加湿送風ユニット。
【請求項８】
熱交換素子を含む素子ユニットを備え、
前記素子ユニットは、前記送風機の下方に設けられ、
前記通風路を流れる空気は、前記熱交換素子を通過してから前記加湿部に流入することを特徴とする請求項１〜７いずれか１項に記載の加湿送風ユニット。
【発明の詳細な説明】
【技術分野】
【０００１】
本発明は、住宅やビル等に使用する送風ユニットにおいて、加湿機能を搭載したものに関する。
【背景技術】
【０００２】
従来、この種の加湿送風ユニットは、吸い込んだ外気を加湿して送風する加湿送風ユニットが知られている（例えば、特許文献１参照）。
【０００３】
以下、その加湿送風ユニットについて図を参照しながら説明する。
【０００４】
図１１に示すように、除加湿換気装置１０２Ａは送風ファン部１２４Ｃと散水装置１２９ａからなり、送風ファン部１２４Ｃにより吸い込んだ外気ＯＡを、散水装置１２９ａによる散水で加湿して、給気ＳＡとして部屋１００に給気する構成としている。
【先行技術文献】
【特許文献】
【０００５】
【特許文献１】国際公開第２００９／０１１３６２号
【発明の概要】
【発明が解決しようとする課題】
【０００６】
このような従来の加湿送風ユニットにおいては、加湿部が加湿送風ユニット本体の内部に位置するため、メンテナンス時の加湿部の取り出しにおいて、天面パネルのアダプタからダクトを外し、加湿ユニット外郭の解体を要するという課題を有していた。
【０００７】
そこで本発明は、上記従来の課題を解決するものであり、加湿部のメンテナンスをより容易に行える加湿送風ユニットを提供することを目的とする。
【課題を解決するための手段】
【０００８】
そして、この目的を達成するために、本発明の一態様に係る加湿送風ユニットは、送風機を有する送風ユニットと、加湿部を有する加湿ユニットと、前記加湿ユニットの天面を覆う天面パネルと、外気口および給気口と連通する通風路と、前記給気口を有する給気アダプタと、を備え、前記送風機により前記外気口から吸い込まれた空気は、前記通風路に沿って流れ、前記加湿部を通過した後に前記給気口から吹き出され、前記加湿部は、空気を吹き出す吹出口と、前記吹出口を有する吹出部とを含み、前記給気アダプタは、前記吹出部と接続され、前記天面パネルは、第１部分と、第２部分とを含み、前記第１部分は、開口を有し、前記第２部分は前記開口の一部を覆うように設けられ、前記第２部分を取り外した状態において、前記開口から前記加湿部を取り外すことが可能であることとしたものであり、これにより所期の目的を達成するものである。
【発明の効果】
【０００９】
本発明によれば、アダプタにダクトをつないだまま加湿部を取り外すことができ、メンテナンス性が向上するという効果を得ることができる。
【図面の簡単な説明】
【００１０】
【図１】本発明の実施の形態１の加湿送風ユニットの概要を示す傾斜図
【図２】加湿送風ユニット内部風路を示す傾斜図
【図３】本発明の実施の形態２の加湿送風ユニットの概要を示す傾斜図
【図４】加湿送風ユニットの上面図
【図５】本発明の実施の形態２の加湿送風ユニットの概要を示す傾斜図
【図６】本発明の実施の形態２の加湿送風ユニットの概要を示す傾斜図
【図７】加湿送風ユニットの上面図
【図８】本発明の実施の形態２の加湿送風ユニットの概要を示す傾斜図
【図９】加湿送風ユニットの上面図
【図１０】加湿送風ユニットの上面図
【図１１】従来技術を示す構成図
【発明を実施するための形態】
【００１１】
本発明の一態様に係る加湿送風ユニットは、送風機を有する送風ユニットと、加湿部を有する加湿ユニットと、前記加湿ユニットの天面を覆う天面パネルと、外気口および給気口と連通する通風路と、前記給気口を有する給気アダプタと、を備え、前記送風機により前記外気口から吸い込まれた空気は、前記通風路に沿って流れ、前記加湿部を通過した後に前記給気口から吹き出され、前記加湿部は、空気を吹き出す吹出口と、前記吹出口を有する吹出部とを含み、前記給気アダプタは、前記吹出部と接続され、前記天面パネルは、第１部分と、第２部分とを含み、前記第１部分は、開口を有し、前記第２部分は前記開口の一部を覆うように設けられ、前記第２部分を取り外した状態において、前記開口から前記加湿部を取り外すことが可能であることを特徴とするものである。
【００１２】
これにより、加湿部は、第２部分を取り外した状態で開口から取り外すことが可能となるので、給気アダプタにダクトをつないだままでも加湿部を取り外すことができ、メンテナンス性が向上するという効果を奏する。
【００１３】
また、前記開口は、吹出部取付領域と、切り欠き領域と、移動領域と、を含み、前記吹出部と前記給気アダプタとが接続されている状態において、前記吹出部は、前記吹出部取付領域に位置し、前記吹出部と前記給気アダプタとが接続されていない状態において、前記吹出部は、前記切り欠き領域により斜め方向に前記吹出部取付領域から前記移動領域へ案内され、前記加湿部は、前記移動領域から取り外し可能であるとする構成にしてもよい。
【００１４】
これにより、加湿部を取り出す際に、切り欠き領域によって加湿部が斜め方向に案内されるので、加湿部をスムーズに取り外すことができ、メンテナンス性が向上するという効果を奏する。
【００１５】
また、前記第２部分は、前記移動領域および前記切り欠き領域を覆うように前記第１部分に接続されるとする構成にてもよい。
【００１６】
これにより、第２部分が移動領域と切り欠き領域の一部を覆うことになるので、切り欠き領域からの空気漏れを防ぐという効果を奏する。
【００１７】
また、前記天面パネルにおいて、前記第１部分の占める割合より前記第２部分の占める割合の方が小さく、前記外気口は、前記第１部分に設けられ、前記第２部分には設けられないとする構成にしてもよい。
【００１８】
これにより、第１部分は第２部分より大きく、外気口は第１部分に設けられることになるので、
第１部分に外気口を設けることで外気口のアダプタ等を外さなくても、第２部分を取り外して加湿部を取り外すことができるという効果を奏する。
【００１９】
また、室内から空気を吸い込む環気口と、前記環気口から吸い込まれた空気を屋外に排出する排気口と、を備え、前記環気口および前記排気口は、前記第１部分に設けられ、前記第２部分には設けられないという構成にしてもよい。
【００２０】
これにより、環気口、排気口が第１部分に設けられるようになり、環気口、排気口のダクト等を外さなくても、第２部分を取り外して加湿部を取り外すことができるという効果を奏する。
【００２１】
また、前記第２部分は略Ｌ字形状であるという構成にしてもよい。
【００２２】
これにより、前記吹出部取付領域を広くできるため、吹出部の圧力損失を低減できるという効果を奏する。
【００２３】
また、前記加湿ユニットは、外郭としてのメンテナンスパネルと、前記通風路の一部を構成するチャンバーボックスとを備え、前記加湿部を取り外す場合、前記第２部分、前記メンテナンスパネル、前記チャンバーボックス、前記給気アダプタ、前記加湿部の順に取り外すという構成にしてもよい。
【００２４】
これにより、前記加湿部を取り外す場合、前記第２部分、前記メンテナンスパネル、前記チャンバーボックス、前記給気アダプタ、前記加湿部の順に取り外せるようになり、環気口、排気口のアダプタ等を外さなくても加湿部を取り外すことができるので、メンテナンス性が向上するという効果を奏する。
【００２５】
また、熱交換素子を含む素子ユニットを備え、前記素子ユニットは、前記送風機の下方に設けられ、前記通風路を流れる空気は、前記熱交換素子を通過してから前記加湿部に流入するという構成にしてもよい。
【００２６】
これにより、送風機の下方に熱交換素子を備え、通風路を流れる空気が熱交換素子を通過してから加湿部に流入するようになり、熱交換素子を通った空気を加湿するので効率よく加湿できるという効果を奏する。
【００２７】
以下、本発明の実施の形態について図面を参照しながら説明する。
【００２８】
（実施の形態１）
図１に示すように、加湿送風ユニットは、加湿ユニット１と送風ユニット２を備えている。
【００２９】
加湿ユニット１は、外気口３と、排気口４と、環気口５と、給気口６と、給気アダプタ７と、天面パネル８と、メンテナンスパネル９と、加湿部１０と、虫フィルター１１を含む。
【００３０】
送風ユニット２は、給気送風機１２と、排気送風機１３と、熱交換素子１４を含む。
【００３１】
加湿ユニット１は、送風ユニット２の上方に設けられる。
【００３２】
加湿ユニット１の天面には、外気口３と、排気口４と、環気口５と、給気口６と、給気アダプタ７と、天面パネル８とが設けられる。
【００３３】
また、加湿ユニット１の外郭、すなわち側面にメンテナンスパネル９が設けられる。
【００３４】
加湿部１０は加湿ユニット１の中央に設けられており、加湿部１０の天面には給気アダプタ７と、給気口６が備わっている。
【００３５】
給気アダプタ７には複数の給気口６が設けられ、給気口６にダクト（図示せず）を接続し、ダクトを介して室内に空気を給気する。
【００３６】
加湿部１０は加湿ユニット１の内部において、各風路の妨げにならないように位置している。また、加湿部１０は、吹出口２１を有する吹出部２２を含む。吹出部２２は吹出口２１を形成し、給気アダプタ７と接続される。すなわち、吹出部２２が給気アダプタ７に固定されることで、給気アダプタ７に加湿部１０が固定される。そして、加湿部１０で加湿された空気は、吹出口２１から給気口６を介して室内に給気される。
【００３７】
熱交換素子１４は、送風ユニット２内部に設けられており、排気される空気の熱量を給気される空気に供給する、または、給気される空気の熱量を排気される空気の熱量に供給する、熱交換の機能を有している。なお、熱交換素子１４は素子ユニット（図示せず）の内部に設けられてもよい。このとき、素子ユニットは送風ユニット２の下方に設けられる。
【００３８】
加湿送風ユニットは、通風路として例えば給気風路１５と、排気風路１６とを有している。
【００３９】
図２に示すように、給気風路１５を通過する空気、例えば屋外空気は、外気口３から加湿ユニット１の内部に入り、虫フィルター１１を通って加湿ユニット１と連結している送風ユニット２に入り、熱交換素子１４の内部を通過して、排気風路１６の空気と熱交換されたのち、給気送風機１２を通過して、送風ユニット２から再び加湿ユニット１へと入り、加湿ユニット１内部の加湿部１０へ入り、加湿部１０にて加湿されたのち、給気口６から吹出される。このように、熱交換素子１４を通過した後の空気を加湿部１０にて加湿することでより効率的に加湿することができる。
【００４０】
排気風路１６を通過する空気、例えば室内空気は、環気口５から加湿ユニット１の内部に入り、加湿ユニット１の内部を通過して、加湿ユニット１に連結している送風ユニット２に入り、熱交換素子１４の内部を通過して、給気風路１５の空気と熱交換されたのち、排気送風機１３を通過して、送風ユニット２から再び加湿ユニット１へと入り、排気口４から屋外に吹出される。
【００４１】
次に、本願発明の特徴部分である天面パネル８について説明する。
【００４２】
図４に示すように、天面パネル８は、第１部分２３と第２部分２４とを含み、加湿ユニット１の天面を覆う。
【００４３】
第１部分２３には、外気口３と、排気口４と、環気口５とが設けられている。また、外気口３、排気口４および環気口５にはそれぞれダクト（図示せず）が接続されることとなる。
【００４４】
第２部分２４は、加湿部１０の吹出部２２に沿うような形状であり、第１部分２３の開口２８の一部を覆うように設けられている。また、第２部分２４は、略Ｌ字形状であってもよい（図６参照）。
【００４５】
第１部分２３と第２部分２４の円形状の隙間に、加湿部１０の吹出口２１が設けられており、吹出口２１に給気アダプタ７が取り付けられている。すなわち、第１部分２３と第２部分２４とが組み合わされると略中央に円形状の開口を形成し、その開口が後述する吹出部取付領域２９であり、加湿部１０を取付けた状態において吹出部２２が位置する部分となる。
【００４６】
また、第１部分２３は、開口２８を有する。
【００４７】
開口２８は、切り欠き領域２６と、移動領域２７と、吹出部取付領域２９と、を含む。使用者から見て手前側から、移動領域２７、切り欠き領域２６、吹出部取付領域２９の順に設けられている。
【００４８】
開口２８のうち、加湿部１０が加湿ユニット１に取付けられている状態つまり吹出部２２と給気アダプタ７が接続されている状態において、吹出部２２が位置する部分が吹出部取付領域２９である。
【００４９】
また、図７に示すように、開口２８のうち、加湿部１０が吹出部取付領域２９に位置している状態において、移動領域２７に向かう方向に位置する部分を切り欠き領域２６とする。すなわち、吹出部２２を排気口４から離れる方向に案内するように第１部分２３の一部を第２部分２４に向かって斜めに切り欠いている。
【００５０】
また、図７に示すように、開口２８のうち、加湿部１０を取り外す際に加湿部１０が移動することとなる領域を移動領域２７とする。すなわち、加湿部１０を出し入れする際に入り口となる部分が移動領域２７である。
【００５１】
加湿部１０は、移動領域２７、切り欠き領域２６、吹出部取付領域２９の順、もしくは、吹出部取付領域２９、切り欠き領域２６、移動領域２７の順に開口２８を移動することが可能である。
【００５２】
次に、図４〜６を用いて、加湿部の取り出し方法について説明する。
【００５３】
図５に示すように、加湿ユニット１の側面にあるメンテナンスパネル９を取り外すと、加湿ユニット１内部に、虫フィルター１１と、加湿部１０に覆い被さるようにチャンバーボックス２５が設けられている。すなわち、チャンバーボックス２５は、加湿部１０の側部を覆うように設けられる。虫フィルター１１を取り外し、次にチャンバーボックス２５を取り外すと、加湿部１０が見えるように設けられている。
【００５４】
なお、チャンバーボックス２５は加湿ユニット１の結露を抑制する目的から、断熱性能を有する材質によって構成されることが望ましい。ここで、断熱性能を有する材質とは、例えば発泡スチロールのような発泡性プラスチック材料をいう。
【００５５】
図６に示すように、メンテナンスパネル９と、虫フィルター１１と、チャンバーボックス２５を順に取り外した後、給気アダプタ７を加湿部１０から取り外す。なお、このとき、給気アダプタ７具体的には給気口６にダクトは接続したままであってもよい。そして、天面パネル８の第２部分２４を第１部分２３から取り外す。
【００５６】
天面パネル８において第２部分２４を取り外すと、図７に示すように、加湿部１０と天面パネル８の第１部分２３との隙間に切り欠き領域２６が設けられていること、また、第２部分２４で覆われていた箇所に移動領域２７が設けられていることが確認できる。
【００５７】
また、第２部分２４が取付けられている状態において、第２部分２４は切り欠き領域２６の一部も覆う構成であってもよい。すなわち、第２部分２４の端部を第１部分２３に向かって延ばしたような形状であってもよい。これにより、切り欠き領域２６からの空気漏れを抑制することができる。
【００５８】
図８に示すように、加湿部１０から給気アダプタ７を、天面パネル８の第１部分２３から第２部分２４をそれぞれ取り外した状態において、天面パネル８の開口２８から、加湿部１０を加湿ユニット１から取り外すことが可能となる。
【００５９】
このような構成とすることで加湿部１０の取り外し時に、天面パネル８の第１部分２３を取り外すことがないため、第１部分２３に設けられている外気口３と、排気口４と、環気口５とに接続されているダクトを取り外すことなく、加湿部１０を加湿ユニット１から取り外すことができる。
【００６０】
なお、加湿部１０を取り外す順番としては、第２部分２４を外した後にメンテナンスパネル９、チャンバーボックス２５、給気アダプタ７を順に取り外す構成であってもよい。
【００６１】
また、図９に示すように、天面パネル８の開口２８に、切り欠き領域２６が存在することによって、加湿部１０は斜め方向に案内されることとなり、吹出部取付領域２９から移動領域２７へスムーズに取り出すことが可能となる。すなわち、加湿部１０を取り外す作業において、例えば、手前側にまっすぐ加湿部１０を引き抜こうとすると、環気口５に接続されるダクト等に引掛かることで取り外しが困難になるおそれがあるという課題を解決することが可能となる。
【００６２】
なお、ここでいう斜め方向とは、第１部分２３において例えば排気口４が設けられる部分の頂点から対角に向かう方向であり、加湿部１０をスムーズに取り出すことができる程度の角度であれば良い。
【００６３】
そして、図１０に示すように、移動領域２７へ取り出された加湿部１０は、移動領域２７中を通って加湿ユニット１の外部へと取り出すことが可能となる。
【００６４】
また、加湿部１０を取付ける際には上述した取り外しの手順と逆の手順で取付けることとなる。
【００６５】
なお、天面パネル８において、第１部分２３の占める割合より、第２部分２４の占める割合は小さくなっていてもよい。このとき、大きい方の部分である第１部分２３に外気口３と、排気口４と、環気口５とが、設けられることとなる。これにより、外気口３、排気口４、環気口５にダクトをつないだままでも、第２部分２４を取り外して加湿部１０を取り外すことが可能となり、メンテナンス性が向上する。
【００６６】
なお、上述した実施の形態では虫フィルター１１を備える構成としたが、虫フィルター１１が設けられる位置は図示する位置に限られず、虫フィルター１１を備えない構成であってもよい。
【００６７】
また、給気送風機１２、排気送風機１３、外気口３、環気口５、給気口６等が設けられる位置は図示したものに限られず、例えば加湿送風ユニットの側面から空気が流入または吸い込まれる構成であってもよい。また、加湿送風ユニット内部における通風路（給気風路１５ならびに排気風路１６）の構成を変更した場合であっても、本願発明の同様の効果を奏する。
【００６８】
以上、本発明に係る加湿送風ユニットについて、実施の形態に基づいて説明したが、本発明は、実施の形態に限定されるものではない。本発明の趣旨を逸脱しない限り、当業者が思いつく各種変形を本実施の形態に施したものや、異なる実施の形態における構成要素を組み合わせて構築される形態も、本発明の範囲内に含まれる。
【産業上の利用可能性】
【００６９】
本発明に係る加湿送風ユニットは、アダプタにダクトをつないだまま加湿部を取り出すことが可能となり、メンテナンス性向上を可能とするものであるので、住宅やビル等に使用される加湿送風ユニット等として有用である。
【符号の説明】
【００７０】
１    加湿ユニット
２    送風ユニット
３    外気口
４    排気口
５    環気口
６    給気口
７    給気アダプタ
８    天面パネル
９    メンテナンスパネル
１０    加湿部
１１    虫フィルター
１２    給気送風機
１３    排気送風機
１４    熱交換素子
１５    給気風路
１６    排気風路
２１    吹出口
２２    吹出部
２３    第１部分
２４    第２部分
２５    チャンバーボックス
２６    切り欠き領域
２７    移動領域
２８    開口
２９    吹出部取付領域
【図１】
2019135420.tif 000003
【図２】
2019135420.tif 000004
【図３】
2019135420.tif 000005
【図４】
2019135420.tif 000006
【図５】
2019135420.tif 000007
【図６】
2019135420.tif 000008
【図７】
2019135420.tif 000009
【図８】
2019135420.tif 000010
【図９】
2019135420.tif 000011
【図１０】
2019135420.tif 000012
【図１１】
2019135420.tif 000013